(57)【要約】【課題】取付板への取付作業性が高く、且つ取付板に対する取付位置精度が高いバックライト用コネクタを提供することにある。【解決手段】コネクタ２０のハウジング２４に設けられ、取付板１１に形成された矩形の取付孔１１ａに挿入される断面矩形の挿入部２１ａと、ハウジング２４に設けられ、挿入部２１ａを取付孔１１ａに挿入したとき取付板１１の表面に着座するフランジ２１ｆと、ハウジング２４に設けられ、バックライトとしての蛍光灯３０が挿入部２１ａの一対の側面２１ｗと平行にセットされるセット部２５と、挿入部２１ａの一対の側面２１ｗに設けられ、挿入部２１ａを取付孔１１ａに挿入したとき、取付孔１１ａの内面に接触して挿入部２１ａを取付孔１１ａ内にて、セット部２５にセットされる蛍光灯３０の長手方向Ｘと直交する方向Ｙにセンタリングするバネ部材２６とを備えている。【選択図】図８
2009146677.tif 000002
【特許請求の範囲】
【請求項１】
取付板に装着されるバックライト用コネクタであって、
ハウジングと、
該ハウジングに設けられ、上記取付板に形成された矩形の取付孔に挿入される断面矩形の挿入部と、
上記ハウジングに設けられ、上記挿入部を上記取付孔に挿入したとき上記取付板の表面に着座するフランジと、
上記ハウジングに設けられ、バックライトとしての蛍光灯が上記挿入部の一対の側面と平行にセットされるセット部と、
上記挿入部の上記一対の側面に設けられ、上記挿入部を上記取付孔に挿入したとき、上記取付孔の内面に接触して上記挿入部を上記取付孔内にて、上記セット部にセットされる蛍光灯の長手方向と直交する方向にセンタリングするバネ部材と
を備えたことを特徴とするバックライト用コネクタ。
【請求項２】
上記バネ部材は、上記挿入部の上記一対の側面に設けられた舌片バネから成り、
該舌片バネは、
上記側面に接続された基端と、
該基端から上記フランジの近傍まで延出された延出片と、
該延出片の先端に設けられ、上記取付孔の内面と上記取付板の表面との角部が係合する段差とを有する
請求項１に記載のバックライト用コネクタ。
【請求項３】
上記ハウジングは、
上記挿入部を有し上記取付孔に装着される固定部と、
上記セット部を有し上記蛍光灯がセットされる浮動部と、
該浮動部を上記固定部に、上記セット部にセットされる蛍光灯の長手方向にスライド可能に支持するスライド機構と
を備えた請求項１又は２に記載のバックライト用コネクタ。
【請求項４】
上記セット部は、
上記ハウジングに開閉可能に取り付けられ、開時に蛍光灯が上記ハウジングにセットされることを許容し、閉時にセットされた蛍光灯を保持するアクチュエータを備えた
請求項１〜３いずれかに記載のバックライト用コネクタ。
【発明の詳細な説明】
【技術分野】
【０００１】
本発明は、液晶ディスプレイに用いられるバックライト用コネクタに係り、特に、取付板への取付作業性に優れたバックライト用コネクタに関する。
【背景技術】
【０００２】
例えば、液晶テレビのディスプレイの背面にあってそこを照射するバックライトとしての蛍光灯は、その直径が２．６乃至５．０ｍｍと言った極細のもので、多数本、ディスプレイに近接して平行に配設されている。そして、このバックライトに電力を供給するために蛍光灯から外部に引き出されているリード線は、通常、電源に連なる電源線、基板などに、直接、はんだ付けされている。
【０００３】
このため、特許文献１の段落０００４にて「近接する端末線（リード線）の先端を限られた空間内で高温の半田付け作業をしなければならず、仕上がりも不均一になる可能性がある」との問題提起がなされている通り、このリード線のはんだ付け工程は極めて煩雑で、上記ディスプレイの生産性、品質を阻害することになっていた。
【０００４】
これを解決するために、特許文献１では、バックライト用コネクタとして、バックライトとしての蛍光灯がセットされるハウジングと、ハウジングに開閉自在に軸支されたアクチュエータと、ハウジングに装着され蛍光灯のリード線を挟持する一対の接点部が形成された端子とを備え、アクチュエータに、その開時に端子を押圧して弾性変形させて上記接点部の間隔を広げ、閉時に端子から離間して弾性変形された端子が元に戻ることを利用して上記接点部の間隔を狭めるカム部を設けた発明が記載されている。
【０００５】
この発明によれば、アクチュエータを開いて蛍光灯をハウジングにセットするときには、カム部によって、端子に形成された一対の接点部の間隔が広げられた状態となっているため、それら接点部の間に蛍光灯のリード線を進入させることができ、その後、アクチュエータを閉じると、カム部が端子から離脱するため、端子の弾性力によって接点部の間隔が元の状態まで狭まり、それら接点部に蛍光灯のリード線が挟持されて電気的接続が得られる。よって、液晶ディスプレイの生産性を阻害する要因となるはんだ付け作業が不要となる。
【０００６】
【特許文献１】特開２００５−２５９３７０号公報
【発明の開示】
【発明が解決しようとする課題】
【０００７】
ところで、文献１のバックライト用コネクタにおいては、蛍光灯のリード線と導通する端子は、基板に、表面実装式又はディップ式によりはんだ付けされている。このため、端子を基板にはんだ付けする際、はんだ付け位置が正規位置から蛍光灯の長手方向と直交する方向にずれるケースが考えられる。この場合、その端子の接点部に蛍光灯のリード線を挟持させると、蛍光灯に曲げ力が加わり、蛍光灯に歪みが生じる。蛍光灯は前述のようにその直径が２．６乃至５．０ｍｍと言った極細のものなので、上記歪みは蛍光灯の破損を招き好ましくない。
【０００８】
この対策として、端子をディップ式で基板にはんだ付けし、基板のディップ孔に挿入される端子のテール部を、ディップ孔の内径と丁度合う寸法とすることが考えられる。こうすれば、端子のテール部を基板のディップ孔に挿入したとき、ディップ孔とテール部との間にガタが生じず、基板に対する端子の位置が正確に定められる。よって、端子を基板の正規位置に的確にはんだ付けできる。しかし乍ら、端子のテール部をディップ孔の内径と丁度合う寸法とすると、テール部をディップ孔に速やか且つスムーズに挿入することが困難となり、基板への組付作業性が大幅に低下し、液晶ディスプレイを量産する上で実用とならない。
【０００９】
以上の事情を考慮して創案された本発明の目的は、取付板への取付作業性が高く、且つ取付板に対する取付位置精度が高いバックライト用コネクタを提供することにある。
【課題を解決するための手段】
【００１０】
上記目的を達成するために創案された本発明は、取付板に装着されるバックライト用コネクタであって、ハウジングと、該ハウジングに設けられ、上記取付板に形成された矩形の取付孔に挿入される断面矩形の挿入部と、上記ハウジングに設けられ、上記挿入部を上記取付孔に挿入したとき上記取付板の表面に着座するフランジと、上記ハウジングに設けられ、バックライトとしての蛍光灯が上記挿入部の一対の側面と平行にセットされるセット部と、上記挿入部の上記一対の側面に設けられ、上記挿入部を上記取付孔に挿入したとき、上記取付孔の内面に接触して上記挿入部を上記取付孔内にて、上記セット部にセットされる蛍光灯の長手方向と直交する方向にセンタリングするバネ部材とを備えている。
【００１１】
上記バネ部材は、上記挿入部の上記一対の側面に設けられた舌片バネから成り、該舌片バネは、上記側面に接続された基端と、該基端から上記フランジの近傍まで延出された延出片と、該延出片の先端に設けられ、上記取付孔の内面と上記取付板の表面との角部が係合する段差とを有していてももよい。
【００１２】
上記ハウジングは、上記挿入部を有し上記取付孔に装着される固定部と、上記セット部を有し上記蛍光灯がセットされる浮動部と、該浮動部を上記固定部に、上記セット部にセットされる蛍光灯の長手方向にスライド可能に支持するスライド機構とを備えていてもよい。
【００１３】
上記セット部は、上記ハウジングに開閉可能に取り付けられ、開時に蛍光灯が上記ハウジングにセットされることを許容し、閉時にセットされた蛍光灯を保持するアクチュエータを備えていてもよい。
【発明の効果】
【００１４】
本発明に係るバックライト用コネクタによれば、取付板への取付作業性の高さと、取付板に対する取付位置精度の高さとを両立させることができる。
【発明を実施するための最良の形態】
【００１５】
以下、本発明の好適実施形態を添付図面に基づいて説明する。
【００１６】
図１は液晶ディスプレイ（図示せず）の背面に配設される反射板１０の辺りを液晶ディスプレイ側から見た模型的斜視図、図２は反射板１０の辺りを反液晶ディスプレイ側から見た模型的斜視図である。
【００１７】
反射板１０が取り付けられた板状のフレーム（取付板）１１には、本実施形態に係るバックライト用コネクタ（以下コネクタ）２０が、対を成すようにして複数並設されており、各対のコネクタ２０の間には、バックライトとしての蛍光灯３０が装着されている。本実施形態においては、コネクタ２０は９対あってそこに９本の蛍光灯３０が装着されている例を示したが、蛍光灯３０の数は液晶ディスプレイの大きさなどに応じて必要数量が異なる。また、本実施形態では、蛍光灯３０は、棒状（Ｉ字状）のものが用いられているが、Ｕ字状のものであっても良い。
【００１８】
本実施形態では、コネクタ２０が取付板１１に取り付けられているが、これに限らず、コネクタ２０を液晶ディスプレイの板状のシャシに取り付けても、或いは直接反射板１０に取り付けても良い。これらの場合、板状のシャシ、反射板１０が、コネクタ２０の取付板となる。
【００１９】
これらコネクタ２０には、電源部材（電源ボード）６０の凸状部６０ａが嵌合される。電源ボード６０は、長手方向に間隔を隔てて凸状部６０ａを有し、各凸状部６０ａには、コネクタ２０に給電するための配線パターンがプリントされている。
【００２０】
図中、Ｘは蛍光灯３０の長手方向と平行な方向、Ｙは取付板１１と平行な面内にて蛍光灯３０の長手方向と直交する方向である。
【００２１】
図３は図１の部分拡大図、図４は図３のIV−IV線断面図、図５は図４のV−V線断面図である。
【００２２】
コネクタ２０は、蛍光灯３０が取り付けられるハウジング２４を有する。ハウジング２４は、取付板１１に取り付けられる固定部２１と、固定部２１にＸ方向に移動可能に装着された浮動部２２とから主として構成されている。
【００２３】
固定部２１には、取付板１１に形成された矩形の取付孔１１ａ（図２参照）に挿入される断面矩形の挿入部２１ａと、挿入部２１ａを取付孔１１ａに挿入したとき取付板１１の表面に着座するフランジ２１ｆとが設けられている。断面矩形に形成された挿入部２１ａの一対の側面２１ｗには、挿入部２１ａを取付孔１１ａに挿入したとき、取付孔１１ａの内面に接触して挿入部２１ａを取付孔１１ａ内にてＹ方向にセンタリングするバネ部材２６が設けられている。
【００２４】
浮動部２２には、蛍光灯３０がセットされるセット部２５が設けられている。セット部２５は、蛍光灯３０をハウジング２４に、挿入部２１ａの一対の側面２１ｗと平行にセットするものであり、浮動部２２に開閉可能に取り付けられたアクチュエータ２３を有する。アクチュエータ２３は、その開時に蛍光灯３０がハウジング２４にセットされることを許容し、閉時にセットされた蛍光灯３０を保持する。
【００２５】
図６はコネクタ２０の各構成部品を示す分解斜視図、図７は図６に示す固定部を反対側から見た斜視図である。
【００２６】
コネクタ２０は、挿入部２１ａが形成された固定部２１と、固定部２１にＸ方向に移動可能に装着された浮動部２２と、固定部２１及び浮動部２２に装着された端子４０と、浮動部２２に開閉可能に設けられていて蛍光灯３０を浮動部２２に保持セットするアクチュエータ２３と、固定部２１の背面２１ｈに取り付けられた蓋部５０とから主に構成されている。
【００２７】
固定部２１は、箱状のモールド品の天井２１ｔと背面２１ｈとを欠落させた外形となっており、正面２１ｓと左右の側面２１ｗと背面２１ｈに取り付けられた蓋部５０とから略直方体状に形成された挿入部２１ａを有する。挿入部２１ａは、ＸＹ平面と平行な面で切断した断面の外形が矩形となっている。正面２１ｓの下部には、電源ボード６０の凸状部６０ａ（図２参照）が挿抜される挿入窓２１ｍが形成され、天井２１ｔの周囲には、フランジ２１ｆが形成され、側面２１ｗの中央には、バネ部材２６として舌片バネ２６ｘが形成されている。舌片バネ２６ｘについては、後に詳述する。
【００２８】
図４〜図６に示すように、浮動部２２は、アクチュエータ２３の軸２３ｊを支承する軸受部２２ｊ、蛍光灯３０のリード線３０ｒが挿通されるリード線挿通溝（以下挿通溝）２２ｍ、挿通溝２２ｍに端子４０の芯線接触部４１の挟持部４１ｋを臨ませる端子溝２２ｎ、アクチュエータ２３が閉じられたときアクチュエータ２３に設けられた端子押圧部２３ｑが進入し得る押圧部溝２２ｐ、アクチュエータ２３が閉じられたときアクチュエータ２３に設けられた被係合部２３ｈと係合する係合部としてのロック爪２２ｔなどを備えている。かかる浮動部２２は、固定部２１の天井２１ｔを塞ぐようにそこに位置付けされる。
【００２９】
アクチュエータ２３は、天壁２３ｔと、そこに直角に連なる一対の横壁２３ｙとを備え、横壁２３ｙに設けられた軸２３ｊが浮動部２２の軸受部２２ｊに回動可能に支承されている。天壁２３ｔの内面には、アクチュエータ２３が閉じられたとき、浮動部２２の押圧部溝２２ｐに進入されて端子４０の被押圧部４１ｈを押圧する端子押圧部２３ｑが板状に垂下して形成されていると共に、浮動部２２の挿通溝２２ｍに進入されて蛍光灯３０のリード線３０ｒを押さえて適正位置まで押し込むリード線押圧部２３ｒが板状に垂下して形成されている。
【００３０】
図４〜図６に示すように、固定部２１と浮動部２２とは、スライド機構２７によってＸ方向に相対移動可能且つＹ方向に相対移動不能に接続されている。
【００３１】
スライド機構２７は、固定部２１に設けられた前方滑動面２１ｋと、浮動部２２に設けられ前方滑動面２１ｋの上を蛍光灯３０の長手方向Ｘに沿って滑動可能な前方滑動部２２ｋと、固定部２１に設けられた後方滑動面２１ｋｋと、浮動部２２に設けられ後方滑動面２１ｋｋの上を蛍光灯３０の長手方向Ｘに沿って滑動可能な後方滑動部２２ｋｋとを有する。
【００３２】
また、スライド機構２７は、固定部２１に蛍光灯３０の長手方向Ｘに沿って形成された溝状のレール２１ｒと、このレール２１ｒに係合する浮動部２２に設けたボス２２ｂとを有する。レール２１ｒ及びボス２２ｂにより、浮動部２２が固定部２１に対して蛍光灯３０の長手方向Ｘに案内され、且つ浮動部２２が固定部２１から上方に離脱することが防止される。
【００３３】
固定部２１及び浮動部２２からなるハウジング２４の内部には、端子４０が収容されている。端子４０は、一端が固定部２１に固定され他端が浮動部２２に固定され、一端にて電源ボード６０の凸状部６０ａに接触し、他端にて蛍光灯３０のリード線３０ｒに接触するものである。
【００３４】
詳しくは、端子４０は、蛍光灯３０のリード線３０ｒに接する芯線接触部４１、その下方に位置して浮動部２２に装着される長方形板状の第一基部４２、そこから下方に延びる可撓部４３、更にその下方に位置して固定部２１に装着される第二基部４４、そこから水平方向に延びて電源ボード６０の凸状部６０ａに接し得る電源接触部４５などを備えている。浮動部２２がスライド機構２７によって固定部２１に対して蛍光灯３０の長手方向Ｘに移動すると、その移動は端子４０の可撓部４３が撓むことで許容される。
【００３５】
芯線接触部４１及び第一基部４２は、浮動部２２にスリット状に形成された端子溝２２ｎに下方から挿通され、第一基部４２が端子溝２２ｎに圧入されることで、即ち第１基部４２の側端に設けられた矢尻４２ｙが端子溝２２ｎの側面に食い込むことで、浮動部２２に装着されている。芯線接触部４１は、第一基部４２に連なる一対のアーム４１ａ、その先端をＵ字状に形成して対向された挟持部４１ｋ、その反対側に三角状に突き出して形成された被押圧部４１ｈを有する。
【００３６】
一対の挟持部４１ｋは、浮動部２２の挿通溝２２ｍ内に蛍光灯３０のリード線３０ｒが略無抵抗で挿通可能となるように、挿通溝２２ｍの両側壁内に隠れるか又はそこから僅かに突出されている。一対の被押圧部４１ｈは、浮動部２２の押圧部溝２２ｐ内に突出されており、アクチュエータ２３が閉じられたとき押圧部溝２２ｐ内に進入する端子押圧部２３ｑに押圧されるようになっている。アクチュエータ２３の端子押圧部２３ｑが端子４０の被押圧部４１ｈを押圧すると、左右のアーム４１ａが幅方向内側に弾性変形し、左右の挟持部４１ｋが蛍光灯３０のリード線３０ｒを弾性的に挟持する。これにより、蛍光灯３０と端子４０とが電気的に導通される。
【００３７】
端子４０の第二基部４４は、長方形板状の板体４４ａと、板体４４ａの四隅から水平方向に延出された脚状の圧入部４６とを有し、圧入部４６が固定部２１の内側に形成された圧入孔２１ｘ（図７参照）に圧入され、圧入部４６の先端に設けた矢尻４６ｙが圧入孔２１ｘに食い込むことで、固定部２１に装着されている。端子４０の電源接触部４５は、断面がコの字状をなす第二基部４４の底部を切り起こして山形に形成してなり、そこに弾性が付与されている。
【００３８】
端子４０の可撓部４３は、第１基部４２と第２基部４４との間に設けられ、それらが蛍光灯３０の長手方向Ｘに相対的に移動することを許容するものである。可撓部４３は、一端が第１基部４２に他端が第２基部４４に接続され、渦巻き状に形成された細い板体からなり、第１基部４２と第２基部４４とが相対移動された際に弾性的な復元力を発揮する。
【００３９】
上記コネクタ２０の取付板１１への取り付けについて述べる。
【００４０】
図８はコネクタ２０及びそれが取り付けられる取付孔１１ａが形成された取付板１１を示す斜視図である。
【００４１】
コネクタ２０は、その固定部２１に形成された断面矩形の挿入部２１ａが、取付板１１に形成された矩形の取付孔１１ａに進入され、取付板１１に取り付けられる。
【００４２】
ここで、挿入部２１ａの左右の側面２１ｗの間隔ＷＡは、取付孔１１ａの幅ＷＢより小さく、挿入部２１ａの正面２１ｓと背面２１ｈとの間隔ＷＣは、取付孔１１ａの長さＷＤより小さく形成されている。また、固定部２１の左右のフランジ２１ｆの端部同士の寸法ＷＥは、取付孔１１ａの幅ＷＢより大きく、固定部２１の前後のフランジ２１ｆの端部同士の寸法ＷＦは、取付孔１１ａの長さＷＤより大きく形成されている。この寸法関係により、挿入部２１ａを取付孔１１ａにスムーズに進入させることができ、奥まで進入させると、フランジ２１ｆが取付板１１の表面に着座する。
【００４３】
挿入部２１ａの左右の側面２１ｗには、平坦部８０が形成されており、左右の平坦部８０の間隔は、幅ＷＡとなっている。平坦部８０には、フランジ２１ｆに沿って高原部８１が形成されており、左右の高原部８１の間隔（Ｙ方向の幅）は、挿入部２１ａの幅ＷＡより大きく、取付孔１１ａの幅ＷＢより小さい。また、高原部８１と平坦部８０とは、傾斜部８２により滑らかに接続されている。
【００４４】
よって、挿入部２１ａを取付孔１１ａに奥まで進入させる際、進入の初期から中期にかけては、取付孔１１ａの幅ＷＢと挿入部２１ａの幅ＷＡとの差、取付孔１１ａの長さＷＤと挿入部２１ａの長さＷＣとの差が比較的大きいので、スムーズに挿入でき、また、進入が完了する段階では、高原部８１が取付孔１１ａの内面に対向するため、Ｙ方向の差（ガタ）が小さくなる。
【００４５】
この進入の中段から終段において、挿入部２１ａは、左右の側壁２１ｗに設けた舌片バネ２６ｘによって、取付孔１１ａ内にて、高原部８１と取付孔１１ａの内面とのガタの範囲で、幅ＷＢ方向（Ｙ方向）の中央にセンタリングされる。舌片バネ２６ｘは、平坦部８０に接続された基端２６ａと、基端２６ａからフランジ２１ｆの近傍まで延出された延出片２６ｂと、延出片２６ｂの先端に設けられ、取付孔１１ａの内面と取付板１１の表面（図８の下側の表面：裏面）との角部１１ｂが係合する段差２６ｃとを有する。延出片２６ｂは、平坦部８０に設けられたスリット８３により、基端２６ａを除き平坦部８０から切り離されている。
【００４６】
詳しくは、舌片バネ２６ｘは、延出片２６ｂの基端２６ａから段差２６ｃに向かって傾斜して設けられたスロープ２６ｄと、スロープ２６ｄの上端に平坦に形成された頂部２６ｅと、頂部２６ｅから直角に落ち込み段差２６ｃの一面を成す段部２６ｆと、段部２６ｆから垂直に立ち上がり段差２６ｃの他面を成す押圧部２６ｇと、押圧部２６ｇから直角に落ち込む自由端面２６ｈと有する。左右の押圧部２６ｇ同士の間隔は、自由状態で左右の高原部８１同士の間隔よりも大きく、取付孔１１ａの幅ＷＢより大きく、左右のフランジ２１ｆ同士の寸法ＷＥより小さい。よって、挿入部２１ａを取付孔１１ａに奥まで進入させると、取付孔１１ａの内面は、押圧部２６ｇには当接するが、高原部８１からは離間する。この結果、挿入部２１ａは、取付孔１１ａ内にて、高原部８１と取付孔１１ａの内面とのガタの範囲で、幅ＷＢ方向にセンタリングされる。
【００４７】
挿入部２１ａを取付孔１１ａに進入させて装着する際、進入の中程で、舌片バネ２６ｘのスロープ２６ｄが取付孔１１ａの内面に当接して舌片バネ２６ｘの延出片２６ｂが内方に撓み、進入が更に進行し、舌片バネ２６ｘの頂部２６ｅが取付孔１１ａを通過すると、延出片２６ｂの撓みが解放されて延出片２６ｂが自由状態に復元し、段差２６ｃの押圧部２６ｇが取付孔１１ａの内面に当接して押し付けられる。このときの適度な挿入抵抗及びその後の舌片バネ２６ｘの復元によるクリック感は、挿入作業者に確かな嵌合の手応えを与える。こうして段差２６ｃの押圧部２６ｇが取付孔１１ａの内面に当接されると、段差２６ｃの段部２６ｆとフランジ２１ｆの下面との間に取付板１１が挟持される。
【００４８】
このとき、左右の押圧部２６ｇが取付孔１１ａの内面を均等に押圧するので、挿入部２１ａが、取付孔１１ａ内にて、高原部８１と取付孔１１ａの内面とのガタの範囲で、幅ＷＢの方向（蛍光灯３０の長手方向Ｘと直交する方向Ｙ）の中央にセンタリングされる。この結果、コネクタ２０が取付板１１の取付孔１１ａの幅ＷＢ方向（Ｙ方向）の中央に精度良く位置付けされる。よって、図２に示すように、一つの取付板１１の両端に穿たれた一対の取付孔１１ａの相対的位置を精度良く形成しておくことで、蛍光灯３０に曲げ力が加わることを防止できる。
【００４９】
すなわち、一対の取付孔１１ａの相対的位置を精度良く形成しておいても、一方の取付孔１１ａにおけるコネクタ２０の挿入部２１ａの取付位置（ガタ内における取付位置）と他方の取付孔１１ａにおけるコネクタ２０の挿入部２１ａの取付位置とがＹ方向にずれていると、蛍光灯３０に曲げ力が生じ、破損を招き兼ねない。本実施形態では、一方の取付孔１１ａにおけるコネクタ２０の挿入部２１ａの取付位置がＹ方向にセンタリングされ、他方の取付孔１１ａにおけるコネクタ２０の挿入部２１ａの取付位置もＹ方向にセンタリングされるので、一対の取付孔１１ａの相対的位置を精度良く形成しておけば、蛍光灯３０に曲げ力が加わらない。なお、対となる取付孔１１ａは、取付板１１に対し同時に打抜加工する等して、容易に精度よく形成できる
なお、取付孔１１ａ内の挿入部２１ａは、蛍光灯３０の長手方向Ｘには、挿入部２１ａの長さＷＣと取付孔１１ａの長さＷＤ（ＷＤ＞ＷＣ）との差の範囲で移動可能となっており、上記舌片バネ２６ｘのようなセンタリング機構を付与されていないが、蛍光灯３０の長手方向Ｘの熱伸縮を吸収するためのスライド機構２７を有しているので、蛍光灯３０には、破損を招くような長手方向Ｘの外力が加わることはない。
【００５０】
すなわち、挿入部２１ａが形成されていて取付孔１１ａに装着された固定部２１に対し、蛍光灯３０がセットされた浮動部２２が長手方向Ｘに移動することで、挿入部２１ａが取付孔１１ａ内にて長手方向Ｘにセンタリングされなくても、蛍光灯３０には、その破損を招くような圧縮力又は引張力が生じることはない。また、挿入部２１ａの長さＷＣと取付孔１１ａの長さＷＤとの差は、蛍光灯３０の製造上の長さのバラツキを吸収する役割も果たす。
【００５１】
なお、スライド機構２７を省略し、固定部２１と浮動部２２とを一体としてもよい。この場合、取付孔１１ａ内における挿入部２１ａのＸ方向の位置によっては、蛍光灯３０にＸ方向の外力（圧縮力、引張力）が加わることもあるが、蛍光灯３０は、長手方向（Ｘ方向）については横方向（Ｙ方向）よりも高い剛性を発揮するため、それほど問題とならない。また、取付孔１１ａ内にて挿入部２１ａがＸ方向に移動することで、蛍光灯３０に加わる長手方向（Ｘ方向）の力が逃がされる。
【００５２】
以上述べたように本実施形態に係るコネクタ２０によれば、セット部２５を備えているので、蛍光灯３０のリード線３０ｒのコネクタ２０への装着が極めて簡単であり、はんだ付けを要しない。
【００５３】
コネクタ２０の取付板１１への取り付けは、単にその挿入部２１ａを取付孔１１ａに差し込むだけで完了し、非常に簡便である。そして、このときコネクタ２０の端子４０のはんだ付けを要しない。
【００５４】
コネクタ２０を取付板１１に取り付けただけで、コネクタ２０を取付孔１１ａ内にてＹ方向にセンタリングができ、蛍光灯３０への曲げ力の作用を防止できる。
【００５５】
コネクタ２０を取付板１１の取付孔１１ａに組み付ける際、コネクタ２０の挿入抵抗とクリック感が得られるので、作業の確実性が向上する。
【図面の簡単な説明】
【００５６】
【図１】液晶ディスプレイ（図示せず）の背面に配設される反射板の辺りを液晶ディスプレイ側から見た模型的斜視図である。
【図２】液晶ディスプレイの反射板の辺りを反液晶ディスプレイ側から見た模型的斜視図である。
【図３】図１の部分拡大図である。
【図４】図３のIV−IV線断面図である。
【図５】図４のV−V線断面図である。
【図６】コネクタの各構成部品を示す分解斜視図である。
【図７】図６に示す固定部を反対側から見た斜視図である。
【図８】コネクタ及びそれが取り付けられる取付孔が形成された取付板を示す斜視図である。
【符号の説明】
【００５７】
１１  取付板
１１ａ  取付孔
１１ｂ  角部
２０  バックライト用コネクタ
２１  固定部
２１ａ  挿入部
２１ｆ  フランジ
２１ｗ  側面
２２  浮動部
２３  アクチュエータ
２４  ハウジング
２５  セット部
２６  バネ部材
２６ｘ  舌片バネ
２６ａ  基端
２６ｂ  延出片
２６ｃ  段差
２７  スライド機構
３０  バックライトとしての蛍光灯
Ｘ  長手方向
Ｙ  長手方向と直交する方向
【図１】
2009146677.tif 000003
【図２】
2009146677.tif 000004
【図３】
2009146677.tif 000005
【図４】
2009146677.tif 000006
【図５】
2009146677.tif 000007
【図６】
2009146677.tif 000008
【図７】
2009146677.tif 000009
【図８】
2009146677.tif 000010